(57)【要約】【課題】  タッチパッドによる操作性を向上させる情報処理装置などを提供する。【解決手段】  指示具（指７００）が近接または接触した位置を入力座標値として検出するタッチパッド（２２０）に対する操作に応じて所定の処理を実行し、実行結果を表示部（１３０）に表示する制御部（メインプロセッサ１００）と、前記表示部に選択項目が表示されているとき、前記タッチパッドの略全領域における前記入力座標値を、該選択項目が表示された座標値に変換する座標変換部（メインプロセッサ１００、またはメインプロセッサ２００）と、を備えることを特徴とする情報処理装置（表示装置１０）を提供する。【選択図】  図１１
2016018239.tif 000002
【特許請求の範囲】
【請求項１】
指示具が近接または接触した位置を入力座標値として検出するタッチパッドに対する操作に応じて所定の処理を実行し、実行結果を表示部に表示する制御部と、
前記表示部に選択項目が表示されているとき、前記タッチパッドの略全領域における前記入力座標値を、該選択項目が表示された座標値に変換する座標変換部と、を備える
ことを特徴とする情報処理装置。
【請求項２】
前記座標変換部は、前記表示部に複数の選択項目が表示されているとき、前記タッチパッドの略全領域における前記入力座標値を、該複数の選択項目のいずれかの座標値に変換する
ことを特徴とする請求項１に記載の情報処理装置。
【請求項３】
前記座標変換部は、第１モードと第２モードとで制御され、
前記第１モードでは、前記表示部に選択項目が表示されているか否かに関わらず、前記タッチパッドにおける前記入力座標値に対応する表示部上の表示に応じた処理を実行し、
前記第２モードでは、前記表示部に選択項目が表示されているときは、前記タッチパッドの略全領域における前記入力座標値を、該選択項目が表示された座標値に変換した処理を実行する
ことを特徴とする請求項２に記載の情報処理装置。
【請求項４】
前記制御部は、前記表示部に、前記座標変換部による座標値の変換状態を画像として表示する
ことを特徴とする請求項２または請求項３に記載の情報処理装置。
【請求項５】
前記座標変換部は、前記タッチパッドの略全領域における前記入力座標値を、該複数の選択項目のうちの一部の選択項目に対応する座標値に変換する
ことを特徴とする請求項２乃至請求項４のいずれか１項に記載の情報処理装置。
【請求項６】
前記座標変換部は、前記表示部に２の選択項目が表示されているとき、前記タッチパッドの略全領域における前記入力座標値を、該２の選択項目のいずれかの座標値に二分するよう変換する
ことを特徴とする請求項２乃至請求項４のいずれか１項に記載の情報処理装置。
【発明の詳細な説明】
【技術分野】
【０００１】
本発明の一態様は、タッチパッドにより機器を操作するための情報処理装置などに関する。
【背景技術】
【０００２】
従来から、タッチパッドまたはタッチパネルに対してユーザが指で触れることにより操作することができる装置がある。このような装置の例としては、身近なものであるノートパソコンや、タッチパッド搭載型のリモコンがある。例えば、特許文献１及び特許文献２には、機器を遠隔操作するリモコンにタッチパネルを適用する技術が開示されている。このような、タッチパネル搭載型のリモコンによれば、多数のボタンを備えるリモコンでは煩雑であったボタン操作を、画面上に表示されるポインタを見ながら選択項目のタッチやフリックなどの、より直感的な操作に置き換えることができる。具体的には、ボタンを備えるリモコンでは、画面に表示された複数のアイコンの中から目的のアイコンを選択しようとした場合、方向ボタンを何度も押して目的のアイコンにカーソルを合わせたのちに決定ボタンを押すという操作が必要となる。一方で、画面上の位置とタッチパッド上の位置が一対一に対応したようなタッチパッドによる操作では、画面に表示された目的のアイコンの位置に対応するタッチパッド上の位置をタッチするだけでこのアイコンを選択する操作が可能である。また、上記の特許文献１には、リモコンのタッチパネル上に、本体機器（操作対象機器）の画面に表示された画像と同じ画像を表示する技術について開示されている。
【先行技術文献】
【特許文献】
【０００３】
【特許文献１】特開２００１−１５７２８４号公報
【特許文献２】特開２０１０−１４６０６３号公報
【発明の概要】
【発明が解決しようとする課題】
【０００４】
しかしながら、上記従来の技術では、画面全体に対して選択項目が小さい場合、または選択項目同士が近接している場合に、ユーザが目的とする選択項目ではない位置をタッチしてしまい、ユーザ所望の操作がしづらいことがあった。そのため、ユーザは目的のアイコンを素早く選択する操作ができず、操作にストレスを感じることがあった。また、特許文献１の技術では、ユーザがタッチパネルを見ながら操作をする必要があり、煩わしい点があった。また、表示部を備えるタッチパネルを搭載すると、部品コストが増加してしまっていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
指示具（指７００）が近接または接触した位置を入力座標値として検出するタッチパッド（２２０）に対する操作に応じて所定の処理を実行し、実行結果を表示部（１３０）に表示する制御部（メインプロセッサ１００）と、
前記表示部に選択項目が表示されているとき、前記タッチパッドの略全領域における前記入力座標値を、該選択項目が表示された座標値に変換する座標変換部（メインプロセッサ１００、またはメインプロセッサ２００）と、を備える
ことを特徴とする情報処理装置（表示装置１０）である。
【０００７】
上記構成の情報処理装置（表示装置１０）によれば、タッチパッドによる直感的な操作感を残しつつ、ユーザによるタッチパッドの誤操作を回避しやすくすることができ、操作性を高めることができる。また、ユーザは表示部から目を離すことなく操作することができる。
【０００８】
本発明の手段２は、
前記座標変換部（メインプロセッサ１００、またはメインプロセッサ２００）は、前記表示部（表示部１３０）に複数の選択項目が表示されているとき、前記タッチパッドの略全領域における前記入力座標値を、該複数の選択項目のいずれかの座標値に変換する
ことを特徴とする手段１の情報処理装置（表示装置１０）である。
【０００９】
上記構成の情報処理装置（表示装置１０）によれば、複数の選択項目を選択する操作を行いやすくなり、操作性を高めることができる。
【００１０】
本発明の手段３は、
前記座標変換部（メインプロセッサ１００、またはメインプロセッサ２００）は、第１モードと第２モードとで制御され、
前記第１モードでは、前記表示部に選択項目が表示されているか否かに関わらず、前記タッチパッドにおける前記入力座標値に対応する表示部上の表示に応じた処理を実行し、
前記第２モードでは、前記表示部に選択項目が表示されているときは、前記タッチパッドの略全領域における前記入力座標値を、該選択項目が表示された座標値に変換した処理を実行する
ことを特徴とする手段２の情報処理装置（表示装置１０）である。
【００１１】
上記構成の情報処理装置（表示装置１０）によれば、必要に応じて操作モードを切り替えることが可能となり、さらに操作性を高めることができる。
【００１２】
本発明の手段４は、
前記制御部（メインプロセッサ１００）は、前記表示部（１３０）に、前記座標変換部による座標値の変換状態を画像（操作ガイド画像４１０）として表示する
ことを特徴とする手段２または手段３の情報処理装置（表示装置１０）である。
【００１３】
上記構成の情報処理装置（表示装置１０）によれば、ユーザが画面上でタッチパッドの座標変換状態を視認することができ、さらに操作性を高めることができる。
【００１４】
本発明の手段５は、
前記座標変換部（メインプロセッサ１００、またはメインプロセッサ２００）は、前記タッチパッドの略全領域における前記入力座標値を、該複数の選択項目のうちの一部の選択項目に対応する座標値に変換する（図１５及び図１６など参照）
ことを特徴とする手段２乃至手段４のいずれかの情報処理装置（表示装置１０）である。
【００１５】
上記構成の情報処理装置（表示装置１０）によれば、表示部上に多数の選択項目が表示されている場合の操作性を高めることができる。
【００１６】
本発明の手段６は、
前記座標変換部（メインプロセッサ１００、またはメインプロセッサ２００）は、前記表示部に２の選択項目が表示されているとき、前記タッチパッドの略全領域における前記入力座標値を、該２の選択項目のいずれかの座標値に二分するよう変換する
ことを特徴とする手段２乃至手段４のいずれかの情報処理装置（表示装置１０）である。
【００１７】
上記構成の情報処理装置（表示装置１０）によれば、表示部上に２の選択項目が表示されている場合の操作性を特に高めることができる。
【図面の簡単な説明】
【００１８】
【図１】表示装置及びリモコンの構成例を示す図。
【図２】タッチパッドの座標設定処理を示すフローチャート。
【図３】タッチパッドの座標設定の具体例を示す図。
【図４】タッチパッドの座標設定の具体例を示す図。
【図５】タッチパッドのタッチ操作処理を示すフローチャート。
【図６】実施形態１の表示部での表示及びタッチパッドの状態の具体例を示す図。
【図７】タッチパッドの状態の具体例を示す図。
【図８】タッチパッドの状態の具体例を示す図。
【図９】タッチパッドの状態の具体例を示す図。
【図１０】タッチパッドの状態の具体例を示す図。
【図１１】実施形態２の表示部での表示及びタッチパッドの状態の具体例を示す図。
【図１２】実施形態２の表示部での表示及びタッチパッドの状態の具体例を示す図。
【図１３】実施形態３の表示部での表示及びタッチパッドの状態の具体例を示す図。
【図１４】実施形態４の表示部での表示及びタッチパッドの状態の具体例を示す図。
【図１５】実施形態５の表示部での表示及びタッチパッドの状態の具体例を示す図。
【図１６】実施形態５の表示部での表示及びタッチパッドの状態の具体例を示す図。
【図１７】実施形態６の表示部での表示及びタッチパッドの状態の具体例を示す図。
【図１８】実施形態６の表示部での表示及びタッチパッドの状態の具体例を示す図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）表示装置及びリモコンの構成例
（２）動作例
（３）タッチパッドの状態の具体例
２．実施形態２
３．実施形態３
４．実施形態４
５．実施形態５
６．実施形態６
７．補足事項
８．本発明の特徴
【００２０】
＜１．実施形態１＞
まず、本発明の実施形態１について、図１乃至図１０を参照しながら説明する。
【００２１】
＜（１）表示装置及びリモコンの構成例＞
図１は、本実施形態の表示装置１０及びリモコン２０の構成例を示す図である。図１に示すように、本実施形態の表示装置１０は、メインプロセッサ１００、無線通信部１１０、映像出力Ｉ／Ｆ部１２０、表示部１３０、及びメモリ１４０を含んで構成される。また、リモコン２０は、メインプロセッサ２００、無線通信部２１０、タッチパッド２２０、及びメモリ２３０を含んで構成される。リモコン２０は、ジャイロセンサ（角速度センサ）などをさらに備えてもよい。
【００２２】
＜メインプロセッサ１００＞
まず、表示装置１０に含まれる各要素について説明する。表示装置１０に含まれるメインプロセッサ１００は、表示装置１０における種々の処理を実行可能に構成された制御手段であり、無線通信部１１０で受信したリモコンからの入力座標値に基づいて所定の処理を実行するよう構成される。この入力座標値は、リモコン２０におけるタッチパッド２２０上の位置に対応する。本実施形態において、メインプロセッサ１００は、所定の処理を実行して表示部に表示される画像を制御する制御部としての機能に加え、入力座標値を選択項目に対応する座標値に変換する座標変換部としての機能を有する。メインプロセッサ１００を含む本システムでの動作例については後述する。
【００２３】
＜無線通信部１１０＞
無線通信部１１０は、無線ＬＡＮを利用した無線通信によって、リモコン２０との間で信号（データを含む）の送受信を実行するよう構成される。特に本実施形態では、無線通信部１１０は、リモコン２０から送信される入力座標値を受信する。なお、無線通信部１１０で利用される通信方式は無線ＬＡＮには限らず、赤外線（ＩＲ）通信、またはそれ以外の無線通信方式であってもよい。
【００２４】
＜映像出力Ｉ／Ｆ部１２０＞
映像出力Ｉ／Ｆ部１２０は、メインプロセッサ１００の制御により、表示部１３０に対して映像信号を出力するよう構成される。映像出力Ｉ／Ｆ部１２０は、例えば、ＯＳＤ（Ｏｎ  Ｓｃｒｅｅｎ  Ｄｉｓｐｌａｙ）を生成して、表示部１３０に表示される映像コンテンツの画像に重畳して表示させる処理などを行う。映像出力Ｉ／Ｆ部１２０は、メインプロセッサ１００の制御により後述の操作ガイド画像をＯＳＤとして生成して、表示部１３０の画像に重畳して表示させることができる。
【００２５】
＜表示部１３０＞
表示部１３０は、ＬＣＤまたは有機ＥＬディスプレイなどで構成され、メインプロセッサ１００の制御により、画像（映像を含む）を表示可能に構成される。
【００２６】
＜メモリ１４０＞
メモリ１４０は、ＲＡＭ及びＲＯＭを含む記憶装置であって、メインプロセッサ１００の制御により、種々のデータを記憶し、記憶しているデータをメインプロセッサ１００に出力することができるよう構成される。メモリ１４０は、例えば、表示装置１０で実行されるソフトウェアの内容、及び各種設定情報などを記憶する。
【００２７】
＜メインプロセッサ２００＞
次に、リモコン２０に含まれる各要素について説明する。リモコン２０に含まれるメインプロセッサ２００は、リモコン２０における種々の処理を実行可能に構成された制御手段であり、タッチパッド２２０でユーザ操作に応答して検出された入力座標値に基づいて所定の処理を実行するよう構成される。本実施形態において、メインプロセッサ２００は、タッチパッド２２０で検出された入力座標値を、無線通信部２１０を介して表示装置１０に送信するよう制御する。
【００２８】
＜タッチパッド２２０＞
タッチパッド２２０は、ユーザの指などでの接触による操作を入力座標値として検出するよう構成される。すなわち、タッチパッド２２０は、ユーザによる該タッチパッド２２０の接触面への接触を、Ｘ座標値とＹ座標値として検出する。タッチパッド２２０は、検出された入力座標値をメインプロセッサ２００に出力するよう構成される。なお、タッチパッド２２０は、ユーザの指だけではなく、その他の指示具による接触を検出してもよい。また、タッチパッド２２０は、接触を検出するだけではなく、指示具（指を含む）の近接を入力座標値として検出してもよい。また、本実施形態ではタッチパネルとはタッチパッド２２０に画像表示機能が組み合わされたものとして解釈する。タッチパッド２２０はタッチパネルに置き換えてもよい。
【００２９】
＜メモリ２３０＞
メモリ２３０は、ＲＡＭ及びＲＯＭを含む記憶装置であって、メインプロセッサ２００の制御により、種々のデータを記憶し、記憶しているデータをメインプロセッサ２００に出力することができるよう構成される。メモリ２３０は、例えば、リモコン２０の設定情報などを記憶する。
【００３０】
＜（２）動作例＞
次に、上記構成の表示装置１０及びリモコン２０を含む情報処理システムにおいて実行される動作について説明する。最初に説明する座標設定処理は、タッチパッド２２０で検出された入力座標値をメインプロセッサ１００で変換するための予備設定である。次に説明するタッチ操作処理は、上記の座標設定処理が完了した状態でユーザがタッチパッド２２０に接触して操作したときに行われる処理である。
【００３１】
図２は、座標設定処理を示すフローチャートである。
【００３２】
＜Ｓ５００〜Ｓ５１０＞
ユーザがリモコン２０により表示装置１０を操作しているときに、メインプロセッサ１００が実行する処理により、表示部１３０に選択項目としての「ＯＫ」と「Ｃａｎｃｅｌ」のアイコンを含むメッセージボックスが表示されたとき、座標設定処理が開始される（Ｓ５００）。このとき、メインプロセッサ１００は、画面構成要素として表示されたメッセージボックスの中の選択項目の数をカウントする（Ｓ５１０）。
【００３３】
＜Ｓ５２０＞
次に、メインプロセッサ１００は、カウントした選択項目数に応じてタッチパッド２２０上の領域（座標）を分割する処理を行う（Ｓ５２０）。例えば、上記のように、メッセージボックスの中に「ＯＫ」と「Ｃａｎｃｅｌ」との２つの選択項目が含まれていた場合、メインプロセッサ１００は、タッチパッド２２０上の領域を、中心から左右に２つに二分割するような座標設定を行う。この座標設定の情報は、メインプロセッサ１００の制御によりメモリ１４０に記憶される。
【００３４】
図３及び図４は、タッチパッド２２０での座標設定の具体例を示す図である。図３に示されるように、各選択項目には始点座標（スタート座標とも呼ぶ）及び終点座標（エンド座標とも呼ぶ）が設定される。図３のような座標設定の内容を、座標設定テーブルと呼ぶことがある。これにより、ユーザは、タッチパッド２２０上で上記のメッセージボックスの中の「ＯＫ」及び「Ｃａｎｃｅｌ」のアイコン（選択項目）を正確にタッチしなくとも、上記始点座標と終点座標とで囲まれた矩形状の領域にタッチすることで、どちらかの選択項目がタッチされたものとみなした処理がメインプロセッサ１００で行われる。
【００３５】
図４は、このときのタッチパッド上の領域の概念を示している。タッチパッド２２０には、選択項目「ＯＫ」に対応した左側のＯＫ領域と、選択項目「Ｃａｎｃｅｌ」に対応した右側のＣａｎｃｅｌ領域とが設定される。
【００３６】
＜Ｓ５３０＞
以上の処理によって、座標設定処理が終了する（Ｓ５３０）。
【００３７】
図３は、タッチ操作処理を示すフローチャートである。
【００３８】
＜Ｓ６００＞
上記の座標設定処理が完了した後、ユーザがタッチパッド２２０にタッチ（接触）すると、タッチ操作処理が開始する（Ｓ６００）。まず、リモコン２０のタッチパッド２２０は、ユーザの指（または別の指示具）が接触したタッチパッド２２０上の位置を、入力座標値として検出し、この入力座標値をメインプロセッサ２００に出力する。メインプロセッサ２００は、この入力座標値を、無線通信部２１０から表示装置１０に対して送信させる。
【００３９】
＜Ｓ６１０＞
上記の処理によってリモコン２０から送信された入力座標値を受信した表示装置１０の無線通信部１１０は、受信した入力座標値をメインプロセッサ１００に出力する（Ｓ６１０）。
【００４０】
＜Ｓ６２０＞
次に、メインプロセッサ１００は、入力された入力座標値に基づいて、実行すべき処理の判定を行う。ここでは、メインプロセッサ１００は、入力座標値に基づいて、この入力座標値が選択項目の「ＯＫ」または「Ｃａｎｃｅｌ」のどちらかに割り当てるかを取得することとなる（Ｓ６２０）。ここで、メインプロセッサ１００は、メモリ１４０に記憶された座標設定を参照することで入力座標値を選択項目に対応する座標値に変換している。
【００４１】
＜Ｓ６３０〜Ｓ６４０＞
次に、メインプロセッサ１００は、取得された選択項目に対応する処理を実行する（Ｓ６３０）。この後、上記の座標設定処理で設定された座標設定テーブルは初期化される。以上の処理によって、タッチ操作処理が終了する。
【００４２】
なお、上記の処理では、表示部１３０に選択項目が表示されたときに自動的に座標設定処理が実行され、その後のタッチ操作処理で活用される例について説明したが、このような座標設定処理が実行されるモードと、座標設定処理が実行されないモードとをユーザが選択可能にしてもよい。
【００４３】
＜（３）タッチパッドの状態の具体例＞
次に、座標設定処理が実行されたときのタッチパッドの状態について、図６乃至図１０を参照しながら具体的に説明する。
【００４４】
図６は、表示部１３０での表示及びタッチパッド２２０の状態の具体例を示す図である。図６に示されるように、タッチパッド２２０にユーザが指７００で接触すると、表示部１３０には、そのタッチパッド２２０の接触位置に対応した位置にポインタ７１０が表示される。
【００４５】
ここで、表示部１３０に、「ＯＫ」と「Ｃａｎｃｅｌ」の選択項目としてのアイコンを含むメッセージボックスが表示されると、座標設定処理が実行される。これにより、図６に示されるように、タッチパッド２２０は、座標設定により擬似的に２つの領域３００と３０１とに分割され、領域３００は選択項目「ＯＫ」に割り当てられ、領域３０１は選択項目「Ｃａｎｃｅｌ」に割り当てられる。
【００４６】
図７は、３つの選択項目を横方向に並べられた形で含むメッセージボックスなどが表示されたときの、タッチパッド２２０上の領域に対する座標設定の例を示している。このように、タッチパッド２２０は、それぞれの選択項目に対応する領域３１１乃至３１３に分割されるよう、座標設定がなされる。
【００４７】
図８は、４つの選択項目を縦横の方向に分割された形で含むメッセージボックスなどが表示されたときの、タッチパッド２２０上の領域に対する座標設定の例を示している。このように、タッチパッド２２０は、それぞれの選択項目に対応する領域３２１乃至３２４に分割されるよう、座標設定がなされる。
【００４８】
図９は、３つの選択項目を縦方向に並べられた形で含むメッセージボックスなどが表示されたときの、タッチパッド２２０上の領域に対する座標設定の例を示している。このように、タッチパッド２２０は、それぞれの選択項目に対応する領域３３１乃至３３３に分割されるよう、座標設定がなされる。
【００４９】
図１０は、タッチパッド２２０を含むリモコン２０が、タッチパッド２２０が縦長になるようにユーザが保持した状態で、３つの選択項目を縦方向に並べられる形で含むメッセージボックスなどが表示されたときの、タッチパッド２２０上の領域に対する座標設定を示している。このように、リモコン２０を持つ方向が異なるときに、例えば、ジャイロセンサなどでこの方向を検知し、タッチパッド２２０の座標設定を行ってもよい。このとき、タッチパッド２２０は、縦方向（長手方向）に領域３４１乃至３４３に分割され、それぞれの領域が選択項目に対応するよう座標設定がなされる。
【００５０】
上記のように、表示部１３０に表示されるメッセージボックスなどに含まれる選択項目の数に応じてタッチパッド２２０の座標設定処理が行われる。また、例えばジャイロセンサ（角速度センサ）や加速度センサなどの状態センサによって、リモコン２０が持たれている向き（保持状態）を検出し、この保持状態に応じて座標設定の向きを変更してもよい。
【００５１】
＜２．実施形態２＞
次に、本発明の実施形態２について、図１１及び図１２を参照しながら説明する。本実施形態では、表示装置１０及びリモコン２０の構成、及び各種処理については実施形態１と同様であるが、表示部１３０には、選択項目として、メッセージボックスではなく、例えばＵＲＬリンクが表示される。本実施形態では、これらのＵＲＬリンクを選択項目として、タッチパッド２２０の座標設定処理が行われる。以下の説明では、実施形態１と同様の内容についてはその説明を省略し、本実施形態で特徴的な部分についてのみ説明する。
【００５２】
図１１は、表示部１３０での表示及びタッチパッド２２０の状態の具体例を示す図である。図１１に示されるように、例えば表示装置１０でインターネットブラウザソフトなどが実行され、表示部１３０に３つの選択項目としてのＵＲＬリンク４０１乃至４０３が表示されたとする。このとき、座標設定処理が実行されると、３つの選択項目であるＵＲＬリンク４０１乃至４０３に対応するよう、図１１に示されるようにタッチパッド２２０の領域が、領域３１１乃至３１３の３分割になるよう座標設定が行われる。
【００５３】
さらに、メインプロセッサ１００は、表示部１３０に、映像出力Ｉ／Ｆ部１２０を制御して、この座標設定による座標値の変換状態を、操作ガイド画像４１０として表示する。ユーザは、この操作ガイド画像４１０を見ることによって、タッチパッド２２０の領域に対する座標設定を把握することができる。
【００５４】
図１１に示されるように、これらの領域３１１乃至３１３はそれぞれＵＲＬリンク４０１乃至４０３にそれぞれ対応しており、例えばユーザがタッチパッド２２０の領域３１１に指などでタッチすると、ＵＲＬリンク４０１に対応した処理が表示装置１０のメインプロセッサ１００で実行される。
【００５５】
次に、図１２は、表示部１３０での表示及びタッチパッド２２０の状態の別の具体例を示す図である。図１２に示されるように、表示装置１０の表示部１３０には、上記の図１１と同じように、３つのＵＲＬリンク４０１乃至４０３が表示されている。このとき、座標設定処理が実行されると、３つの選択項目であるＵＲＬリンク４０１乃至４０３に対応するよう、タッチパッド２２０の領域が、領域３５１乃至３５３を含むように、座標設定が行われる。さらに、メインプロセッサ１００は、映像出力Ｉ／Ｆ部１２０を制御して、表示部１３０に、この座標設定による座標値の変換状態を、操作ガイド画像４１０として表示する。このタッチパッド２２０上の領域３５１乃至３５３はそれぞれＵＲＬリンク４０１乃至４０３にそれぞれ対応しており、例えばユーザがタッチパッド２２０の領域３５１に指などでタッチすると、ＵＲＬリンク４０１に対応した処理が表示装置１０のメインプロセッサ１００で実行される。
【００５６】
＜３．実施形態３＞
次に、本発明の実施形態３について、図１３を参照しながら説明する。本実施形態では、表示装置１０及びリモコン２０の構成、及び各種処理については実施形態１及び実施形態２と同様であり、表示部１３０にはＵＲＬリンクが表示される点は実施形態２と同様であるが、表示部１３０に表示される操作ガイド画像の内容が相違する。以下の説明では、実施形態１及び実施形態２と同様の内容についてはその説明を省略し、本実施形態で特徴的な部分についてのみ説明する。
【００５７】
図１３は、表示部１３０での表示及びタッチパッド２２０の状態の具体例を示す図である。図１３に示されるように、表示部１３０に３つの選択項目としてのＵＲＬリンク４０１乃至４０３が表示され、これらに対応するようタッチパッド２２０の座標設定処理が行われる。そして、表示部１３０には、これらのタッチパッド２２０の座標設定処理に対応する画面上の位置にオーバーラップするように、操作ガイド画像４１１乃至４１３が表示される。
【００５８】
なお、表示部１３０の表示にオーバーラップするように操作ガイド画像４１１乃至４１３を表示する場合、この操作ガイド画像４１１乃至４１３により表示部１３０の表示が見づらくなることがある。そこで、例えば、ユーザの指がタッチパッド２２０の上に浮いている（フローティング）状態でのみ、ユーザが操作を行おうとしていると判定して、操作ガイド画像４１１乃至４１３を表示するよう制御してもよい。これらの操作ガイド画像の制御は、メインプロセッサ１００及び映像出力Ｉ／Ｆ部１２０により実行される。
【００５９】
＜４．実施形態４＞
次に、本発明の実施形態４について、図１４を参照しながら説明する。本実施形態では、表示装置１０及びリモコン２０の構成、及び各種処理については実施形態１及び実施形態２と同様であり、表示部１３０にはＵＲＬリンクが表示される点は実施形態２と同様であるが、タッチパッド２２０の座標設定の内容が異なる。以下の説明では、実施形態１及び実施形態２と同様の内容についてはその説明を省略し、本実施形態で特徴的な部分についてのみ説明する。
【００６０】
図１４は、表示部１３０での表示及びタッチパッド２２０の状態の具体例を示す図である。図１４に示されるように、表示部１３０に３つの選択項目としてのＵＲＬリンク４０１乃至４０３が表示される。ここで、座標設定処理が行われると、タッチパッド２２０の座標は、選択項目であるＵＲＬリンク４０１乃至４０３にそれぞれ対応する３つの領域３６１乃至３６３に加え、上領域３６４、下領域３６５、左領域３６６、及び右領域３６７が設定され、これらに対応する座標設定が行われる。これらの上領域３６４、下領域３６５、左領域３６６、及び右領域３６７には、選択項目とは異なる機能が設けられ、これらの領域にユーザがタッチすると、それぞれの領域（座標）に割り当てられた処理が実行される。例えば、左領域３６６及び右領域３６７に対しては、表示部１３０に表示された画像のスクロール機能が割り当てられる。また、例えば、上領域３６４及び下領域３６５には、表示部１３０に表示された文書のページ送り及びページ戻りの昨日がそれぞれ割り当てられる。このように、タッチパッド２２０の領域を、選択項目とは異なる領域を含むように座標設定することで、操作性をさらに高めることができる。なお、これらの領域は必ずしもすべて設けられる必要はなく、いずれか１つだけ設けられてもよい。
【００６１】
＜５．実施形態５＞
次に、本発明の実施形態５について、図１５及び図１６を参照しながら説明する。本実施形態では、表示装置１０及びリモコン２０の構成、及び各種処理については実施形態１と同様であるが、表示部１３０には、選択項目として多数のアイコンが表示される。本実施形態では、これらのアイコンの中の一部の選択項目に対応するよう、タッチパッド２２０の座標設定処理が行われる。以下の説明では、実施形態１と同様の内容についてはその説明を省略し、本実施形態で特徴的な部分についてのみ説明する。
【００６２】
図１５は、表示部１３０での表示及びタッチパッド２２０の状態の具体例を示す図である。図１５に示されるように、表示装置１０には、例えば９つの選択項目としてのアイコンが表示される。このように多数の選択項目がある場合、全ての選択項目を選択できるようにタッチパッド２２０の座標設定を行うと、それぞれの選択項目に対応する領域（座標）が小さくなり、操作性を十分に高めることができない場合がある。そこで、メインプロセッサ１００は、複数の選択項目のうちの一部に対応するような座標設定を行い、表示部１３０には、現在タッチパッド２２０で選択可能な選択項目として設定されているグループを明示するような操作ガイド画像４２０を表示する。さらに、メインプロセッサ１００は、表示部１３０には、タッチパッド２２０の上領域３７４または下領域３７５をタッチすることで選択項目として設定されるグループを変更可能であることを示す操作ガイド画像４２０を表示する。これに対して、タッチパッド２２０では、表示部１３０に示される１乃至３の選択項目としてアイコンにそれぞれ対応する領域３７１乃至３７３、並びに上領域３７４及び下領域３７５が座標設定される。
【００６３】
この状態で、ユーザがタッチパッド２２０の下領域３７５にタッチすると、表示部１３０における表示は図１６で示すように変化する。すなわち、選択項目として設定されたグループが変更され、これに合わせて操作ガイド画像４２０が変化する。
【００６４】
上記のような座標設定を行うことで、表示部１３０に選択項目が多数表示された場合であっても非常に効果的に操作性を高めることができる。
【００６５】
＜６．実施形態６＞
次に、本発明の実施形態６について、図１７及び図１８を参照しながら説明する。本実施形態では、表示装置１０及びリモコン２０の構成、及び各種処理については実施形態１及び実施形態５と同様であるが、表示部１３０には、実施形態５と同様に、選択項目として多数のアイコンが表示される。本実施形態のリモコン２０は、ジャイロセンサ（角速度センサ）または加速度センサを構成要素として含む。以下の説明では、実施形態１と同様の内容についてはその説明を省略し、本実施形態で特徴的な部分についてのみ説明する。
【００６６】
図１７は、表示部１３０での表示及びタッチパッド２２０の状態の具体例を示す図である。図１７に示されるように、表示装置１０には、例えば１５の選択項目としてのアイコンが表示される。そして、メインプロセッサ１００は、複数の選択項目のうちの一部に対応するような座標設定を行い、表示部１３０には、現在タッチパッド２２０で選択可能な選択項目として設定されているグループを明示するような操作ガイド画像４２０を表示する。タッチパッド２２０では、表示部１３０に示される１乃至３の選択項目としてアイコンにそれぞれ対応する領域３７１乃至３７３、並びに上領域３７４及び下領域３７５が座標設定される。
【００６７】
この状態で、ユーザがリモコン２０を右方向に傾けると、ジャイロセンサはこの傾きを検出する。そして、メインプロセッサ１００は、このジャイロセンサにより検出された傾きの情報に基づいて、選択項目のグループを変更する処理を行う。
【００６８】
図１８は、ユーザがリモコンを右方向に傾けた後の、表示部１３０での表示及びタッチパッド２２０の状態の具体例を示す図である。図１８に示されるように、タッチパッド２２０で選択可能な選択項目のグループが変更されている。
【００６９】
上記のような処理を実行可能にすることで、タッチパッド２２０の全領域を選択項目の選択に割り当てることが可能となり、さらに操作性を高めることができる。
【００７０】
＜７．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００７１】
上記実施形態はそれぞれ組み合わせて実行されてもよい。例えば、実施形態２と実施形態５とを組み合わせ、画面上に表示されるＵＲＬリンクが多数ある場合に、これらの一部の選択項目についてのみ選択可能なような座標設定処理をおこなうことなどが可能である。
【００７２】
また、リモコン２０は、必ずしも専用のリモコンである必要はなく、スマートフォンなまたはタブレット機器などでリモコンソフトウェアを実行することにより、リモコンとして機能させてもよい。
【００７３】
また、リモコン２０はリモコンのような遠隔操作装置である必要はなく、例えばリモコン２０の各要素と表示装置１０の各要素を含むＰＣ（Ｐｅｒｓｏｎａｌ  Ｃｏｍｐｕｔｅｒ）に本発明を適用してもよい。
【００７４】
また、上記の実施形態では、座標設定処理及びタッチ操作処理は表示装置１０で実行されているが、この座標設定処理及びタッチ操作処理はリモコン２０で実行されてもよい。この場合、リモコン２０から表示装置１０に対しては、座標設定に基づいて変換された入力座標値が送信される。
【００７５】
＜８．本発明の特徴＞
以上、説明したような構成の無線操作システム、及びこの無線操作システムに含まれる無線通信装置は、以下のような特徴を備える。
【００７６】
本発明の情報処理装置（表示装置１０）は、指示具（指７００）が近接または接触した位置を入力座標値として検出するタッチパッド（２２０）に対する操作に応じて所定の処理を実行し、実行結果を表示部（１３０）に表示する制御部（メインプロセッサ１００）と、表示部に選択項目が表示されているとき、タッチパッドの略全領域における入力座標値を、該選択項目が表示された座標値に変換する座標変換部（メインプロセッサ１００、またはメインプロセッサ２００）と、を備えることを特徴とする。
【００７７】
上記構成の情報処理装置（表示装置１０）によれば、タッチパッドによる直感的な操作感を残しつつ、ユーザによるタッチパッドの誤操作を回避しやすくすることができ、操作性を高めることができる。また、ユーザは表示部から目を離すことなく操作することができる。
【００７８】
また、本発明の情報処理装置（表示装置１０）において、座標変換部（メインプロセッサ１００、またはメインプロセッサ２００）は、表示部（表示部１３０）に複数の選択項目が表示されているとき、タッチパッドの略全領域における入力座標値を、該複数の選択項目のいずれかの座標値に変換することを特徴とする。
【００７９】
上記構成の情報処理装置（表示装置１０）によれば、複数の選択項目を選択する操作を行いやすくなり、操作性を高めることができる。
【００８０】
また、本発明の情報処理装置（表示装置１０）では、座標変換部（メインプロセッサ１００、またはメインプロセッサ２００）は、第１モードと第２モードとで制御され、
（１）第１モードでは、表示部に選択項目が表示されているか否かに関わらず、タッチパッドにおける入力座標値に対応する表示部上の表示に応じた処理を実行し、
（２）第２モードでは、表示部に選択項目が表示されているときは、タッチパッドの略全領域における入力座標値を、該選択項目が表示された座標値に変換した処理を実行することを特徴とする。
【００８１】
上記構成の情報処理装置（表示装置１０）によれば、必要に応じて操作モードを切り替えることが可能となり、さらに操作性を高めることができる。
【００８２】
また、本発明の情報処理装置（表示装置１０）では、制御部（メインプロセッサ１００）は、表示部１３０に、座標変換部による座標値の変換状態を画像（操作ガイド画像４１０）として表示することを特徴とする。
【００８３】
上記構成の情報処理装置（表示装置１０）によれば、ユーザが画面上でタッチパッドの座標変換状態を視認することができ、さらに操作性を高めることができる。
【００８４】
本発明の情報処理装置（表示装置１０）では、座標変換部（メインプロセッサ１００、またはメインプロセッサ２００）は、タッチパッドの略全領域における入力座標値を、該複数の選択項目のうちの一部の選択項目に対応する座標値に変換する（図１６など参照）ことを特徴とする。
【００８５】
上記構成の情報処理装置（表示装置１０）によれば、表示部上に多数の選択項目が表示されている場合の操作性を高めることができる。
【００８６】
また、本発明の情報処理装置（表示装置１０）では、座標変換部（メインプロセッサ１００、またはメインプロセッサ２００）は、表示部に２の選択項目が表示されているとき、タッチパッドの略全領域における入力座標値を、該２の選択項目のいずれかの座標値に二分するよう変換することを特徴とする。
【００８７】
上記構成の情報処理装置（表示装置１０）によれば、表示部上に２の選択項目が表示されている場合の操作性を特に高めることができる。
【産業上の利用可能性】
【００８８】
本発明は、タッチパッドにより機器を操作する情報処理装置などとして好適に適用される。
【符号の説明】
【００８９】
１０…表示装置
２０…リモコン
１００…メインプロセッサ
１１０…無線通信部
１２０…映像出力Ｉ／Ｆ部
１３０…表示部
１４０…メモリ
２００…メインプロセッサ
２１０…無線通信部
２２０…タッチパッド
２３０…メモリ
４１０〜４１３、４２０…操作ガイド画像
７００…指
７１０…ポインタ
【図１】
2016018239.tif 000003
【図２】
2016018239.tif 000004
【図３】
2016018239.tif 000005
【図４】
2016018239.tif 000006
【図５】
2016018239.tif 000007
【図６】
2016018239.tif 000008
【図７】
2016018239.tif 000009
【図８】
2016018239.tif 000010
【図９】
2016018239.tif 000011
【図１０】
2016018239.tif 000012
【図１１】
2016018239.tif 000013
【図１２】
2016018239.tif 000014
【図１３】
2016018239.tif 000015
【図１４】
2016018239.tif 000016
【図１５】
2016018239.tif 000017
【図１６】
2016018239.tif 000018
【図１７】
2016018239.tif 000019
【図１８】
2016018239.tif 000020